(57)【要約】【課題】ディスク再生装置の小型化、薄型化が可能であり、さらに再生デッキの上下左右前後方向の移動規制を確実に行うことが可能なディスク再生装置を得る。【解決手段】筐体内部にフローティング状態に支持される再生デッキと、前記筐体内部に挿入されたディスクにより押し動かされる回動部材と、前記回動部材の回動に基づいて駆動されるスライド部材と、前記スライド部材の駆動に基づき押し動かされるように前記筐体に設けられた平板で形成されたロック部材と、前記ロック部材の移動方向に直交して前記再生デッキに設けられた被ロック部とを有し、前記ロック部材は前記被ロック部に対向する板厚端面に、基部は左右平行し途中から先細り斜面に形成した係合凸部を備え、  前記被ロック部は、左右両端部が前記ロック部材の板厚と略等しい幅に中央部は該幅を広げるように円弧状に形成した係合穴を備える。【選択図】図１
2007207308.tif 000002
【特許請求の範囲】
【請求項１】
筐体内部にフローティング状態に支持される再生デッキと、
前記筐体内部に挿入されたディスクにより押し動かされる回動部材と、
前記回動部材の回動に基づいて駆動されるスライド部材と、
前記スライド部材の駆動に基づき押し動かされるように前記筐体に設けられた平板で形成されたロック部材と、
前記ロック部材の移動方向に直交して前記再生デッキに設けられた被ロック部とを有し、
前記ロック部材と前記被ロック部との対向面に、一方は基部が左右平行し途中から先細り斜面に形成した係合凸部を、他方は左右両端部が前記係合凸部の板厚と略等しい幅に中央部は該幅を広げるように円弧状に形成した係合穴を備えたディスク再生装置。
【請求項２】
前記ロック部材は、基部が左右平行し途中から先細り斜面に形成した係合凸部を備え、前記被ロック部は、左右両端部が前記係合凸部の板厚と略等しい幅に中央部は該幅を広げるように円弧状に形成した係合穴を備えたことを特徴とする請求項１記載のディスク再生装置。
【請求項３】
前記被ロック部材は、基部が左右平行し途中から先細り斜面に形成した係合凸部を備え、前記ロック部は、左右両端部が前記係合凸部の板厚と略等しい幅に中央部は該幅を広げるように円弧状に形成した係合穴を備えたことを特徴とする請求項１記載のディスク再生装置。
【発明の詳細な説明】
【技術分野】
【０００１】
この発明は、ディスク再生装置、特に車載用のディスク再生装置に関するものである。
【背景技術】
【０００２】
主として車載用のディスク再生装置は、筐体内に上下左右前後方向に移動可能な状態（フローティング状態）に支持した再生デッキ上にターンテーブル、ピックアップ及びクランパー等を装備し、ディスク再生時には、外部からの振動の影響を受けないように構成されている。
そして非再生時には、筐体に再生デッキをロック（係合）することにより、ディスクの挿入及び排出が行いやすいように構成されている。
従来のディスク再生装置における再生デッキのロックは、コの字型のロック部材を互いに直交させて係合させるものや円錐型にしたもの、また三角形状にしたもの（例えば、特許文献１参照）がある。
【０００３】
【特許文献１】特開２００３−５９１５４号公報
【発明の開示】
【発明が解決しようとする課題】
【０００４】
従来のディスク再生装置のロック部材の形状は、以上のように構成されているので、例えばコの字型の形状では、ロックするために必要な移動量が大きくなりディスク再生装置の小型化が図れないという問題がある。また互いに直交した状態で配置されるために高さ方向の寸法も小さくすることができず、薄型化が図れないという問題がある。
また、ロック部材の形状を円錐型にしたものでは、ロックするために必要な移動量を小さくできるが、高さ方向の寸法を小さくすることができないとともに、回転方向の移動規制ができないという問題がある。
さらにロック部材の形状を三角形状にしたものでは、ななめにロックされる場合があり再生デッキの移動規制を確実に行うことができないという問題がある。
【０００５】
この発明は、上記課題を解決するためになされたもので、ディスク再生装置の小型化、薄型化が可能であり、さらに再生デッキの上下左右前後方向の移動規制を確実に行うことが可能なディスク再生装置を得ることを目的とする。
【課題を解決するための手段】
【０００６】
この発明に係るディスク再生装置は、筐体内部にフローティング状態に支持される再生デッキと、前記筐体内部に挿入されたディスクにより押し動かされる回動部材と、前記回動部材の回動に基づいて駆動されるスライド部材と、前記スライド部材の駆動に基づき押し動かされるように前記筐体に設けられた平板で形成されたロック部材と、前記ロック部材の移動方向に直交して前記再生デッキに設けられた被ロック部とを有し、前記ロック部材と前記被ロック部との対向面に、一方は基部が左右平行し途中から先細り斜面に形成した係合凸部を、他方は左右両端部が前記係合凸部の板厚と略等しい幅に中央部は該幅を広げるように円弧状に形成した係合穴を備えるものである。
【発明の効果】
【０００７】
この発明によれば、係合凸部が板厚と同一に形成されているため高さ方向の寸法を小さくすることができ、ディスク再生装置の薄型化に効果がある。
また、ロック部材と被ロック部との対向面に、一方は基部が左右平行し途中から先細り斜面に形成した係合凸部を、他方は左右両端部が前記係合凸部の板厚と略等しい幅に中央部は該幅を広げるように円弧状に形成した係合穴を備えるようにしたので、ロック解除時における位置から、ロック時の位置までの距離を短くすることができ、ディスク再生装置の小型化に効果がある。
さらに、ロック時に係合凸部と被ロック部とが面で当接するため、面で上下左右前後の移動規制を行うために確実に再生デッキの移動規制を行うことができる。
【発明を実施するための最良の形態】
【０００８】
以下、この発明をより詳細に説明するために、この発明を実施するための最良の形態について、添付の図面に従って説明する。
実施の形態１．
図１は本発明の実施の形態１に係るディスク再生装置の斜視図を示し、フレーム構成による筐体１２の前面１２ａには、ディスク１３を挿入・排出するための挿入口（図示せず）が設けられている。
また、再生デッキ６は、ディスク再生装置の内部において上下左右前後方向に移動可能な状態（フローティング状態）に取り付けられている。
ここで、上下方向とは挿入口に挿入されるディスク１３の円盤面に対する上下方向、左右方向とは後述する搬送ローラー１の長手方向、前後方向とはディスク１３が搬送される方向であり、筐体１２の前面１２ａを前方とする。
【０００９】
搬送ローラー１はディスク１３をターンテーブル７上まで搬送、若しくはターンテーブル７上からディスク１３を排出するために回動可能に筐体１２内に取り付けられている。
また、搬送ローラー１は、ばね等の弾性体により上側に向かって付勢力をつけられている。これにより搬送ローラー１はディスク１３の裏面に当接し、確実にディスク１３の搬送を行うことができる。
【００１０】
回動部材２は、回動可能にクランプ部材４に取り付けられており、図２に示すように、ディスク１３がターンテーブル７上に搬送されると、回動部材２の一端がディスク１３に押されディスク再生装置上側から見た場合に反時計方向に回動運動する。
この回動運動時、回動部材２の他端は、スライド部材３と当接してスライド部材３を前方へ押し出す（駆動する）。
【００１１】
スライド部材３には、ギア列１１のギアと係合するラック３ａ及び搬送ローラー１を押し下げるための突出部３ｃが設けられている。
クランプ部材４は、スライド部材３が前方へ移動するとともに下降するように構成され、このクランプ部材４の前端部には、ターンテーブル７上に搬送されたディスク１３の上面に当接しディスク１３を上方から押さえつける役割を持つクランパー５が揺動自在に取り付けられている。
【００１２】
再生デッキ６には、上記のクランプ部材４及びターンテーブル７等が取り付けられており、再生デッキ６全体がゴム等の弾性体からなる防振機構により筐体１２の内部に支持されており、上下左右前後方向に移動可能な状態（フローティング状態）では外部からの振動による影響を受けないように構成されている。
【００１３】
図３は、図１から再生デッキ６及び搬送ローラー１等を取り除いた斜視図である。
本発明の実施の形態１に係るディスク再生装置のロック機構は、スライド部材３、回動レバー８、ロック部材９で構成されている。
スライド部材３には、回動レバー８の一端の長穴８ａと係合するためのピン３ｂが設けられている。
回動レバー８は、くの字型をした長板状体でできており、回動可能にピン８ｂで筐体１２の内部に固定されている。このため回動レバー８は、ピン８ｂを中心として回動する。
また回動レバー８の他端には、ロック部材９の長穴９ｂと係合するためのピン８ｃが設けられている。
【００１４】
ロック部材９は平板よりなり、中央部には左右方向に延びた長穴９ｂがあり、この長穴９ｂを挟むように左右には前後方向に延びた長穴９ｃが平行に形成されている。
ロック部材９の長穴９ｂには、回動レバー８の一端に設けたピン８ｃが係合し、長穴９ｃには筐体１２のベースに設けたピン１２ｂが係合し、ロック部材９が前後方向にのみ動くように動作を規制している。
【００１５】
図４は、ロック部材に設けた係合凸部９ａ及び再生デッキに設けた被ロック部６ａの形状を示した図である。
また、図５は、ロック時の係合凸部９ａと被ロック部６ａとを示した図である。
ロック部材９の左右両端には、同一側に幅の狭いＬ字形状の折り曲げ部９ｄが形成されており、この折り曲げ部９ｄの同一側に、基部は左右平行し途中から先細り斜面となる形状の係合凸部９ａが形成されている。
この係合凸部９ａが係脱する被ロック部６ａは再生デッキ６内のベースに設けた垂直壁６−１に形成されている。
この被ロック部６ａは、両端部がロック部材９の板厚と略等しい幅に、中央部はその幅を広げるように円弧状に係合穴が形成されている。
【００１６】
ロック部材９が前方へと移動すると、係合凸部９ａが被ロック部６ａの係合穴に係合されることになるが、再生デッキ６が上下左右前後に移動規制されていない状態では係合凸部９ａの先端と被ロック部６ａの係合穴の中心がずれた位置関係となっている場合がある。
このような場合でも、係合凸部９ａを先細り斜面に形成し、被ロック部６ａの係合穴の中央部を円弧状に形成しているので、位置を強制的に規制されながら被ロック部６ａの係合穴の中を進み、係合凸部９ａは、被ロック部６ａの係合穴とロックされる。
【００１７】
次に動作について説明する。
ディスク１３が外部より挿入されると、この挿入を検知センサー（図示せず）が検知し、この検知信号を受けた制御回路（図示せず）によりモータ１０が起動され、その動力を受けて搬送ローラー１が回動をはじめ、ディスク１３がターンテーブル７に向かって搬送される。
このときディスク１３が一定の位置まで搬送されると、ディスク１３が回動部材２に当接し、引き続くディスク１３の搬送に伴い回動部材２が反時計方向に回転を始め、回動部材２がスライド部材３の当接部と当接し、スライド部材３を前方へ押しだす（駆動する）。
【００１８】
スライド部材３が、回動部材２の回動運動により前方へ移動すると、スライド部材３に設けられたラック３ａが、ギア列１１に備えられたギアと係合し、以後、ギア列１１の駆動により、スライド部材３はさらに前方に移動する。
スライド部材３が、前方に移動すると、スライド部材３に設けられた突出部３ｃが搬送ローラー１の回動軸に当接し、さらにスライド部材３が、前方へ移動すると前記突出部３ｃが搬送ローラー１を押し下げ、これにより搬送ローラー１はディスク１３の下面から離れる。
【００１９】
次に、クランプ部材４及びクランパー５は、スライド部材３が前方に移動するとともに下降し始め、クランパー５がターンテーブル７上に搬送されたディスク１３の上面に当接する。
このとき、ターンテーブル７上に搬送されたディスク１３は上面からはクランパー５による下向きの付勢力をうけ、下面からは搬送ローラー１による上向きの付勢力をうけ、クランパー５と搬送ローラー１とにより挟持され、搬送ローラー１の下降とともにディスク１３も下降し、再生デッキ６上のターンテーブル７にクランプされる。
【００２０】
また、スライド部材３が前方に移動すると、回動レバー８がピン３ｂと長穴８ａとにより反時計方向に回動をはじめ、回動レバー８の他端に設けたピン８ｃとロック部材９の長穴９ｂにより、ロック部材９が回動レバー８の回動運動により後方に移動し、係合凸部９ａと被ロック部６ａとのロックが解除され、再生デッキ６は防振機構で支持された上下左右前後方向に移動可能な状態（フローティング状態）となる。
【００２１】
以下、ロック部材９の係合凸部９ａと再生デッキ６の被ロック部６ａがロック及びロック解除される動作を図６及び図７を使用して詳細に説明する。
図６はロック解除時の状態を示した図であり、図７は、ロック時の状態を示した図である。
ここで、スライド部材３が前方へ移動すると、回動レバー８は、長穴８ａに係合したピン３ｂに押されてピン８ｂを中心に回動運動を行うため、回転レバー８の他端に設けられたピン８ｃは、後方へ移動する。
ロック部材９は、長穴９ｂに係合したピン８ｃが後方へ移動するに伴い後方へ移動する。
【００２２】
この場合、ロック部材９は、ピン１２ｃと長穴９ｃにガイドされてまっすぐ後方へ移動し、図６に示すように、ロック部材９はロックが解除された状態となる。
この状態では、再生デッキ６は上下左右前後方向に移動規制されていない状態（フローティング状態）となり、外部からの振動により再生デッキ６とロック部材９とが衝突する可能性がある。
このためロック部材９の係合凸部９ａは、再生デッキ６と衝突するのを避けるために再生デッキ６に設けられた被ロック部６ａと一定の距離を保った位置まで退避した状態となっている。
【００２３】
ここで一定の距離とは、係合凸部９ａおよび被ロック部６ａの係合穴の形状にもよるが、係合凸部９ａと再生デッキ６とが振動により衝突することを防止できる程度の距離、例えば２ｍｍ程度の距離である。
また、係合凸部９ａを先細り斜面に形成し、被ロック部６ａの係合穴の中央部を円弧状に形成しているので、係合凸部９ａの先端がどの方向にずれたとしても、ロック部材９が再生デッキ６と衝突しない距離を保つことができ、前記衝突が起こりにくくなる。
【００２４】
以上のように、スライド部材３が前方に移動することによって、ロック部材９が後方へ移動し、ロックが解除され、再生デッキ６が上下左右前後に移動可能な状態（フローティング状態）となる。
また、係合凸部９ａと被ロック部６ａとをロックし、再生デッキ６を上下左右前後方向に移動規制する場合は、モータ１０に制御回路（図示せず）から逆転信号を送り、ギア列１１のギアを逆転させてスライド部材３を後方へ移動させれば、ロック部材９が前方へ移動し、係合凸部９ａと垂直壁６−１の被ロック部６ａとが、図７に示すようにロックされた状態となる。
【００２５】
係合凸部９ａと被ロック部６ａとがロックされると、図４に示した係合凸部９ａの上面Ａ１及び下面Ａ２（図示せず）が、それぞれ被ロック部６ａの係合穴の面Ｂ１及び面Ｂ２と当接し、再生デッキ６の上下方向の移動を規制する。
係合凸部９ａの左右の面Ａ３は、被ロック部６ａの係合穴の面Ｂ３と当接し再生デッキ６の左右方向の動きを規制する。
また、ロック部材９の係合凸部が設けられた端面Ａ４は、被ロック部６が形成された垂直壁６−１の表面Ｂ４と当接し再生デッキ６の前後方向の動きを規制する。
【００２６】
以上のように、本発明の実施の形態１によれば係合凸部がロック部材の板厚と同一に形成されているため高さ方向の寸法を小さくすることができ、ディスク再生装置の薄型化に効果がある。
ロック部を左右平行し途中から先細り斜面に形成し、被ロック部を左右両端部が前記ロック部材の板厚と略等しい幅に中央部は該幅を広げるように円弧状に形成した係合穴を備えるようにしたので、非ロック時における位置から、ロック時の位置までの距離を短くすることができ、ディスク再生装置の小型化に効果がある。
また、ずれた位置関係にあっても確実にロックされ、ロック時に係合凸部と被ロック部が面で当接するため、面で上下左右前後の移動規制を行うために確実に再生デッキの移動規制を行うことができる。
また、三角形状のみで構成したときのように斜めにロックしてしまうことがない。
【００２７】
なお、実施の形態１では、ロック部材に係合凸部を備え、被ロック部に係合穴を備えたディスク再生装置について説明したが、被ロック部に前記と同様の係合凸部を、ロック部材に前記と同様の係合穴を備えるように構成しても、実施の形態１と同様の効果がある。
また、ロック部の取り付け方向は、実施の形態１で示したように前方向のみでなく、左方向、右方向又は後方向に設けるように構成してもいい。
また、ロック部材にＬ字型の折りまげ部を形成せず、板厚端面に係合凸部を備え、この係合凸部に対向する被ロック部の係合穴を再生デッキの垂直壁に形成すれば、さらに高さ方向の寸法を小さくすることができ、ディスク再生装置をより薄型化することが可能である。
【図面の簡単な説明】
【００２８】
【図１】本発明の実施の形態１に係るディスク再生装置の斜視図である。
【図２】ディスクと回動部材との関係を示した図である。
【図３】ロック機構部分の斜視図である。
【図４】ロック部及び被ロック部の形状を示した図である。
【図５】ロック時のロック部及び被ロック部を示した図である。
【図６】ロック解除時の状態を表した図である。
【図７】ロック時の状態を示した図である。
【符号の説明】
【００２９】
１  搬送ローラー、２  回動部材、３  スライド部材、４  クランプ部材、５  クランパー、６  再生デッキ、７  ターンテーブル、８  回動レバー、９  ロック部材、１０  モータ、１１  ギア列、１２  筐体、１３  ディスク。
【図１】
2007207308.tif 000003
【図２】
2007207308.tif 000004
【図３】
2007207308.tif 000005
【図４】
2007207308.tif 000006
【図５】
2007207308.tif 000007
【図６】
2007207308.tif 000008
【図７】
2007207308.tif 000009